(57)【要約】【課題】演出表示装置の表示画面の前方においてより意外性や変化に富んだ演出を遊技者に提供できる可動体を備えた遊技機を提供する。【解決手段】非作動時において遊技者から視認困難な位置に置かれ、作動時において遊技者から視認可能な複数の演出表示領域を有する回転リールを備えた第１の可動体と、作動時において表示画面の中央側に移動可能な第２の可動体と、第２の可動体の動作時に、当該第２の可動体よりも表示画面の中央側に移動して視認可能となる第３の可動体とを備え、第３の可動体の前面には、それぞれ回転リールのいずれかの演出表示領域に付された特定の表示と関連する表示が付され、可動体制御手段は、回転リールの停止により特定の表示が付された演出表示領域が遊技者に対して正対する時期に対応して第３の可動体を表示画面の中央側に移動させる構成とした。【選択図】図３
2014004052.tif 000002
【特許請求の範囲】
【請求項１】
遊技機枠に取付けられた遊技盤と、
前記遊技盤を前後に貫通するように形成された開口と、
前記開口の後方に設けられ、前記開口を介して目視可能な表示画面を有する演出表示装置と、
前記表示画面の上部において前記遊技盤の後方、かつ、前記表示画面の前方に配置され、非作動時において遊技者から視認困難な位置に置かれ、作動時において遊技者から視認可能な複数の演出表示領域を有する回転リールを備えた第１の可動体と、
前記遊技盤の後方、かつ、前記表示画面の前方左右端部に１対配置され、作動時において前記表示画面の中央側にそれぞれ移動可能な第２の可動体と、
前記第２の可動体の後方にそれぞれ位置して非作動時において遊技者から視認困難な位置に置かれ、前記第２の可動体の動作時に、当該第２の可動体よりも前記表示画面の中央側に移動して視認可能となる第３の可動体と、
前記各可動体を動作させるとともに、第１の可動体の回転リールの回転を制御する可動体制御手段と、
を備えた遊技機であって、
前記第３の可動体の前面には、それぞれ前記回転リールのいずれかの演出表示領域に付された特定の表示と関連する表示が付され、
前記可動体制御手段は、前記回転リールの停止により前記特定の表示が付された演出表示領域が遊技者に対して正対する時期に対応して前記第３の可動体を前記表示画面の中央側に移動させることを特徴とする遊技機。
【請求項２】
前記表示画面の左右方向にそれぞれ配置された第２の可動体が、当該可動体の前記表示画面の中央側への移動に伴って互いに離れる方向に回転する上側顔部及び下側顔部を備えたことを特徴とする請求項１記載の遊技機。
【発明の詳細な説明】
【技術分野】
【０００１】
本発明は、複数の可動体を備えた遊技機に関し、可動体の動作によって演出効果を高めることが可能な遊技機に関する。
【背景技術】
【０００２】
遊技機の一例としてのパチンコ機において、鉛直方向に対して傾斜した斜め方向に移動する可動体（特許文献１参照）や、表示画面の下部に固定的に配設された回転リールによって遊技状態を表示する可動体が知られている（特許文献２参照）。
【先行技術文献】
【特許文献】
【０００３】
【特許文献１】特開２０１１−４５３９１号公報
【特許文献２】特開２０１１−１２０６５９号公報
【発明の概要】
【発明が解決しようとする課題】
【０００４】
特許文献１の可動体は演出表示装置の表示画面の前方において斜め方向に移動して一様な動きをするだけであり、特許文献２の可動体は、表示画面の下部に固定的に設けられているため意外性や変化に富んだ演出を提供し難い。
本発明は、演出表示装置の表示画面の前方においてより意外性や変化に富んだ演出を遊技者に提供できる可動体を備えた遊技機を提供する。
【課題を解決するための手段】
【０００５】
前記課題を解決するための遊技機に係る構成として、遊技機枠に取付けられた遊技盤と、遊技盤を前後に貫通するように形成された開口と、開口の後方に設けられ、開口を介して目視可能な表示画面を有する演出表示装置と、表示画面の上部において遊技盤の後方、かつ、表示画面の前方に配置され、非作動時において遊技者から視認困難な位置に置かれ、作動時において遊技者から視認可能な複数の演出表示領域を有する回転リールを備えた第１の可動体と、遊技盤の後方、かつ、表示画面の前方左右端部に１対配置され、作動時において表示画面の中央側にそれぞれ移動可能な第２の可動体と、第２の可動体の後方にそれぞれ位置して非作動時において遊技者から視認困難な位置に置かれ、第２の可動体の動作時に、当該第２の可動体よりも表示画面の中央側に移動して視認可能となる第３の可動体と、各可動体を動作させるとともに、第１の可動体の回転リールの回転を制御する可動体制御手段とを備えた遊技機であって、第３の可動体の前面には、それぞれ回転リールのいずれかの演出表示領域に付された特定の表示と関連する表示が付され、可動体制御手段は、回転リールの停止により特定の表示が付された演出表示領域が遊技者に対して正対する時期に対応して第３の可動体を表示画面の中央側に移動させる構成とした。
本構成によれば、第２の可動体の後方にそれぞれ位置して非作動時において遊技者から視認困難な位置にあり、その前面にそれぞれ回転リールのいずれかの演出表示領域に付された特定の表示と関連する表示が付された第３の可動体が、回転リールの停止により特定の表示が付された演出表示領域が遊技者に対して正対する時期に対応して表示画面の中央側に移動することから、回転リールの演出表示領域に表示された特定の演出表示と、これと関連する第３の可動体の前面に表示が付された表示とが協調した動作によって遊技者から視認され、よりインパクトのある演出を見せることが可能となる。
また、他の構成として、表示画面の左右方向にそれぞれ配置された第２の可動体が、当該可動体の表示画面の中央側への移動に伴って互いに離れる方向に回転する上側顔部及び下側顔部を備えた構成とした。
本構成によれば、第２の可動体の動作時に、当該第２の可動体よりも表示画面の中央側に移動して視認可能となる第３の可動体の前面に付された表示があたかも上側顔部及び下側顔部を備えた第２の可動体の口から発せられたメッセージであるかのような印象を与えることができ、よりインパクトのある演出を遊技者に見せることが可能となる。
なお、上記発明の概要は、本発明の必要な特徴の全てを列挙したものではなく、特徴群を構成する個々の構成もまた発明となり得る。
【発明の効果】
【０００６】
本発明によれば、より意外性や変化に富んだ演出を実行する遊技機を提供することができる。
【図面の簡単な説明】
【０００７】
【図１】パチンコ機の斜視図である。
【図２】遊技盤ユニットの分解斜視図である。
【図３】各可動体の初期位置状態及び遊技盤の盤面を遊技盤の前側から見た図である。
【図４】パチンコ機の制御系統を示すブロック構成図である。
【図５】上可動体ユニットの分解斜視図である。
【図６】上可動体ユニットを前側から見た動作説明図である。
【図７】右前側可動体ユニットの分解斜視図である。
【図８】右前側可動体ユニットを前側から見た動作説明図である。
【図９】右前側可動体ユニットを裏側から見た動作説明図である。
【図１０】右後側可動体ユニットの分解斜視図である。
【図１１】右後側可動体ユニットを前側から見た動作説明図である。
【図１２】可動体の演出動作の一例を示す図である。
【発明を実施するための形態】
【０００８】
以下、図１〜図１２を参照し、発明の実施形態を通じて本発明を詳説するが、以下の実施形態は特許請求の範囲に係る発明を限定するものではなく、また実施形態の中で説明される特徴の組み合わせの全てが発明の解決手段に必須であるとは限らない。
なお、以下の説明において遊技機の一例としてのパチンコ機の各部の左右方向は、そのパチンコ機に正対する遊技者にとっての左右方向に一致させて説明する。
【０００９】
図１に示すように、本実施形態に係る遊技機の一例としてのパチンコ機１は、遊技場の島設備に設置される縦長方形状の機枠２と、この機枠２に軸着されて開閉自在に取付けられた本体枠３と、当該本体枠３の内側に装着された遊技盤ユニット２９と、本体枠３の前面に軸着されて開閉自在に取付けられ、中央に大きく窓４Ａが設けられたパネル扉４と、パネル扉４の下側において本体枠３の前面に開閉自在に取付けられ、遊技球を収容する受皿６を有する前面ボード５と、本体枠３の下部に配設された図外の発射装置７Ｂ（図４参照）と、前面ボード５に取付けられた発射操作ハンドル７と、パネル扉４の左下部、及び左右の上部にそれぞれ設けられたスピーカ８と、パネル扉４の周囲に配設された図外の複数のランプを備える。
【００１０】
受皿６の前縁部には、遊技者が操作可能なように操作部９が設けられている。操作部９は、後述の演出表示装置５０上に表示されるカーソル等を移動するためのダイアル部９Ａと、ダイアル部９Ａによって移動されたカーソルと対応する項目を選択する際や、演出表示装置５０上において展開される演出の際に押下されるボタン９Ｂとから構成される。
【００１１】
パチンコ機１の背面側には、図４に示す主制御装置１００と、副制御装置を構成する演出制御装置２００と、払出制御装置３００とが搭載されている。主制御装置１００、演出制御装置２００、払出制御装置３００は、何れもコンピュータプログラム及び遊技処理（演出処理，払出処理等）に必要なデータを格納したＲＯＭと、ＣＰＵがＲＯＭに格納されたコンピュータプログラムに従って処理を行うための一時記憶領域であるＲＡＭとを備えるマイクロコンピュータである。また、主制御装置１００、演出制御装置２００及び払出制御装置３００の各制御装置は、図外の電源供給装置からの電力供給により駆動し、供給された電力は出力側に接続された各機器に供給される。
【００１２】
払出制御装置３００は、図４に示すように、賞球払出装置３０１を制御するとともに、発射操作ハンドル７の操作に基づく発射ボリューム（可変抵抗器）７Ａからの信号を入力して発射装置７Ｂの発射力を制御する。
【００１３】
受皿６に収容された球は、発射装置７Ｂに１個ずつ供給される。そして、図４に示すように、払出制御装置３００は、発射操作ハンドル７の回転操作量に対応して増減する発射ボリューム７Ａからの入力に基づいて所定の発射力で球が発射装置７Ｂから発射されるように図外の発射モーターを駆動制御する。また、払出制御装置３００は、発射操作ハンドル７の周面上に設けられた発射停止スイッチ７Ｃや発射操作ハンドル７の内部に配設されたタッチセンサ７Ｄからの信号を入力して、発射停止及び発射開始を制御する。また、発射制御装置３００は、払出計数スイッチ３０２からの信号に基づいて賞球払出装置３０１を制御する。
【００１４】
図２に示すように、本体枠３の内側に装着された遊技盤ユニット２９は、遊技盤２０と、可動体ユニット設置空間形成用筐体３１と、複数の可動体ユニット４００；５００；６００：６００Ａ、及び演出表示装置５０とを備える。
【００１５】
図２；図３に示すように、遊技盤２０は、光透過性を有した矩形平板により形成された遊技基板１８の前面となる盤面１９に、ガイドレール２１、遊技球規制レール２２、第１特別図柄表示装置４０Ａ、第２特別図柄表示装置４０Ｂ、普通図柄表示装置４１、第１始動入賞口（始動口）３０Ａ、第２始動入賞口（始動口）３０Ｂ、第１大入賞口３５Ａ、第２大入賞口３５Ｂ、複数の一般入賞口３６、アウト口６８、複数の遊技釘７５及び風車７６、センター飾り枠８０等の遊技部品を備えた構成である。
【００１６】
第１始動入賞口３０Ａ、第２始動入賞口３０Ｂ、第１大入賞口３５Ａ、第２大入賞口３５Ｂ、一般入賞口６７のそれぞれには、球の通過を検出する第１始動入賞口検出センサ９１、第２始動入賞口検出センサ９２、第１大入賞口検出センサ９３、第２大入賞口検出センサ９４、一般入賞口検出センサ９５が内蔵されている。これらの検出センサ９１〜９５は、球の通過に伴い球検出信号（電気信号）を出力する磁気センサであり、その球検出信号は主制御装置１００に入力される（図４参照）。
【００１７】
遊技基板１８の盤面１９の周縁部には、ガイドレール２１と遊技球規制レール２２とが設けられ、これらガイドレール２１と遊技球規制レール２２とによって盤面１９の領域が盤面１９の中央部を中心とする略円形状に囲まれて区画された遊技領域２０Ａが形成されている。当該遊技領域２０Ａ内の盤面１９に、上述した遊技部品が設けられる。
【００１８】
図３に示すように、センター飾り枠８０は、遊技盤２０の遊技基板１８を貫通するように設けられた開口３４の周縁に位置する盤面１９より前方に突出する枠体である。開口３４は、遊技盤２０の中央側において遊技盤２０を前後に貫通するように形成される。この開口３４は、遊技盤２０の釘や役物の配置、遊技仕様、遊技盤面のデザイン等の影響により各パチンコ機の機種毎に上下左右にずれるものの、遊技盤の略中央部に形成される。
センター飾り枠８０は、枠の外側に張り出すように設けられた取付フランジ８５を備え、取付フランジ８５が盤面１９にねじ等で固定されることにより盤面１９に取付けられる。センター飾り枠８０は、下部枠にステージ８１を備えるとともに、左枠部にステージ部８１への球の導入路８２を備える。
【００１９】
遊技盤２０の後方に配置される可動体ユニット設置空間形成用筐体３１は、図２に示すように、前側開口３１０を有する有底箱状に形成される。また、後側の底面３１１には、演出表示装置５０の表示画面５１を遊技盤２０の開口３４を介して前方から見えるように位置させるための表示孔３１２を備える。
【００２０】
演出表示装置５０は、遊技盤２０の開口３４の後方に設けられ、遊技盤２０の前方から遊技者が開口３４及び表示孔３１２を介して表示画面５１を前方から目視可能なように、可動体ユニット設置空間形成用筐体３１の裏面に取付けられている。
【００２１】
センター飾り枠８０の前面と窓４Ａとの間の隙間寸法、及び、ステージ部８１の庇部８１ｃの前端面と窓４Ａとの間の隙間寸法は、一個の遊技球の直径よりも小さい寸法に形成されている。従って、センター飾り枠８０の周囲の遊技領域２０Ａを流下する球は、導入路８２以外からはセンター飾り枠８０の内側に導かれることはない。
また、ステージ部８１に入り込んだ球は庇部８１ｃよりも上方に移動することはなく、ステージ部８１の下方の遊技領域２０Ａに落下する。即ち、遊技領域２０Ａを流下する球が遊技盤２０の開口３４の内側に入り込むことはない。
なお、センター飾り枠８０は、遊技盤２０の開口３４の上縁、左縁、右縁より前方に突出するように設けられた構成、あるいは、遊技盤２０の開口３４の上縁、左縁より前方に突出するように設けられた構成である。センター飾り枠８０が、遊技盤２０の開口３４の上縁、左縁より前方に突出するように設けられた構成の場合、遊技盤２０の開口３４の右縁より前方に突出する右側飾り枠は、後述する右前側可動体ユニット６００の後側ベース板６１３より前方に延長するように設けられた飾り枠６９０（図２参照）により構成される。
【００２２】
次に、遊技盤２０に配設された入賞部品について説明する。
第１始動入賞口３０Ａ，第２始動入賞口３０Ｂは、遊技領域２０Ａの中央部において上下方向に分かれて配設される。第１始動入賞口３０Ａ又は第２始動入賞口３０Ｂに球が入賞すると、主制御装置１００によって特別図柄抽選（以下、特図抽選という）等の各種の抽選処理が実行され、当該各種の抽選処理の結果が特別図柄表示器４０Ａ；４０Ｂや演出表示装置５０の表示画面５１上に反映されて表示される。
また、第１始動入賞口３０Ａ又は第２始動入賞口３０Ｂに遊技球が入賞すると予め設定された所定の個数（例えば３個）の賞球が、払出制御装置３００の制御によって動作する賞球払出装置３０１によって遊技者に対して払い出される。
【００２３】
また、第２始動入賞口３０Ｂには、電動チューリップと称される開閉体が設けられている。図４に示すように、当該電動チューリップは、ソレノイド等により構成される電動チューリップ駆動装置６５Ａにより開閉される。電動チューリップ駆動装置６５Ａは、主制御装置１００が備える図外の電動チューリップ制御手段により制御され、開閉体を所定の回数及び所定の間隔で開放動作させる。
【００２４】
第１大入賞口３５Ａは、遊技領域２０Ａにおける第２始動入賞口３０Ｂの下方に配設される。第１大入賞口３５Ａは、所謂大当り遊技の場合に開放する開閉体を有している。当該開閉体は、ソレノイド等により構成されるアタッカ駆動装置６５Ｂにより開閉される（図４参照）。また、アタッカ駆動装置６５Ｂは、大当り遊技時において主制御装置１００が備える図外の特別遊技制御手段よって制御され、第１大入賞口３５Ａを閉塞する開閉体を所定の回数及び所定の間隔で開放動作させる。また、第１大入賞口３５Ａに球が入賞すると予め設定された所定の個数（例えば１５個）の賞球が賞球払出装置３０１によって遊技者に対して払い出される。
【００２５】
第２大入賞口３５Ｂは、遊技領域２０Ａにおける右側下部に配設される。第２大入賞口３５Ｂは、前記同様に所謂大当り遊技の場合に開放する開閉体を有しており、大当り遊技において前述のアタッカ駆動装置６５Ｂにより所定の回数及び所定の間隔で開放される。また、第２大入賞口３５Ｂに球が入賞すると予め設定された所定の個数（例えば１５個）の賞球が賞球払出装置３０１によって遊技者に対して払い出される。
【００２６】
複数の一般入賞口３６は、遊技領域２０Ａの左側下部に所定の間隔を空けて配設される。当該一般入賞口３６に球が入賞すると、予め設定された所定の個数（例えば３個）の賞球が遊技者に対して払い出される。
【００２７】
次に、遊技盤２０に配設される各種の表示装置について説明する。遊技盤２０には、第１特別図柄表示装置４０Ａ、第２特別図柄表示装置４０Ｂ及び演出表示装置５０が配設されている。
【００２８】
第１特別図柄表示装置４０Ａは、遊技盤２０の右側下部に配設されるデジタル表示器であって、第１始動入賞口３０Ａへの遊技球の入賞を契機に、主制御装置１００により行われる特図抽選の結果を表示する。当該第１特別図柄表示装置４０Ａは、例えば「−」と「○」を点灯表示可能な表示器であって、上述の第１特図抽選の結果を示す態様でいずれかの記号を点灯表示する。
ここで、例えば第１特図抽選の結果が「外れ」である場合には「−」が停止表示され、「当り」である場合には「○」が停止表示される。
【００２９】
第２特別図柄表示装置４０Ｂは、第１特別図柄表示装置４０Ａの下方に配設されるデジタル表示器であって、第２始動入賞口３０Ｂへの遊技球の入賞を契機に、主制御装置１００により行われる特図抽選の結果を表示する。当該第２特別図柄表示装置４０Ｂは、前述の第１特別図柄表示装置４０Ａと同様に「−」と「○」を点灯表示可能な表示器であって、第２特図抽選の結果を示す態様でいずれかの記号を点灯表示する。ここで、第２特図抽選の結果が「外れ」である場合には「−」が停止表示され、「当り」である場合には「○」が停止表示される。
なお、第１特別図柄表示装置４０Ａ及び第２特別図柄表示装置４０Ｂの構成としては、７セグメント表示器や、複数のランプにより構成された表示器であってもよく、特定の数字の組み合わせや、ランプの点灯態様により抽選の結果を示すものであってもよい。
【００３０】
図３に示すように、第１特別図柄表示装置４０Ａ、第２特別図柄表示装置４０Ｂは、主制御装置１００の図柄変動表示制御手段１４０により制御される。図柄変動表示制御手段１４０は、特別図柄を所定の変動時間だけ第１特別図柄表示装置４０Ａ、第２特別図柄表示装置４０Ｂを変動させた後に、特図抽選の結果を示す態様で停止表示させる。ここで、第１特別図柄及び第２特別図柄の変動時間は、第１特別図柄表示装置４０Ａ又は第２特別図柄表示装置４０Ｂの「−」と「○」が交互に高速で点滅する期間であり、変動停止時間は、変動時間後にいずれかの記号が点灯表示される期間である。
【００３１】
演出表示装置５０は、遊技盤２０の略中央部に配設される表示装置であって、本実施形態においては液晶表示装置が採用されている。演出表示装置５０は、上述の第１特別図柄又は第２特別図柄の変動時間に対応して特定の数字及びキャラクター等からなる複数の演出図柄Ｓを上下方向にスクロール表示し、第１特別図柄又は第２特別図柄の変動停止時期と略同期して演出図柄Ｓを停止表示する。
ここで、第１特図抽選又は第２特図抽選の結果が「当り」である場合の演出図柄Ｓの停止態様は、３つの演出図柄Ｓが予め設定されたライン上において同一の数字又はキャラクターで停止した態様である（図３参照）。一方、「外れ」である場合の停止態様は、上記以外の態様で停止した態様である。
【００３２】
図４に示すように、演出表示装置５０は、主制御装置１００から送信される制御コマンドを受信した演出制御装置２００の演出表示制御手段２００Ａから送信されるコマンドに基づいて制御される。  
詳細は後述するが主制御装置１００から演出表示制御手段２００Ａに送信される演出用のコマンドには、演出図柄Ｓの変動時間に係る情報等が含まれる。
演出表示制御手段２００Ａ側では、上記演出用のコマンドに含まれる情報を解析した上で必要な画像データや動画データ等を読み出し、当該データを演出表示装置５０の表示画面５１上に出力することにより、演出図柄Ｓの変動表示中に遊技者に対して多様な演出表示を提供する。
また、演出制御装置２００の可動体制御手段２００Ｂは、演出表示制御手段２００Ａから送信される内部コマンドに応じて、後述する複数の可動ユニット４００；５００；６００；６００Ａ；７００；７００Ａを所定の態様により動作させ、その動作態様によって遊技を盛り上げる。また、演出制御装置２００の音声制御手段２００Ｃは、演出表示制御手段２００Ａから送信される内部コマンドに応じて演出図柄Ｓの変動時間や演出に対応した音声データを読み出してスピーカ８を制御することにより遊技進行中において遊技を盛り上げる音声を提供する。
以下、本実施形態に係るパチンコ機１に搭載された複数の可動体ユニットの一部について詳説する。
【００３３】
図２に示すように、可動体ユニット設置空間形成用筐体３１の前側開口３１０の開口縁には当該可動体ユニット設置空間形成用筐体３１を遊技盤２０の裏面に取付けるための例えば取付フランジ３１３が設けられる。当該取付フランジ３１３が遊技盤２０の裏面の周縁部にねじ等で取付けられることで可動体ユニット設置空間形成用筐体３１が遊技盤２０の裏面に取付けられ、遊技盤２０と可動体ユニット設置空間形成用筐体３１とで形成された遊技盤２０の後方で、かつ、可動体ユニット設置空間形成用筐体３１の内側の収容空間３１４に複数の可動体ユニットが配置され、複数の可動体ユニットが遊技盤２０の裏面又は可動体ユニット設置空間形成用筐体３１に固定状態に取付けられる。
【００３４】
図３に示すように、上可動体ユニット４００は、遊技盤２０の開口３４の上縁の上方側に位置する遊技盤２０の裏側の収容空間３１４に配置され、遊技盤２０又は可動体ユニット設置空間形成用筐体３１に取付けられる。上可動体ユニット４００は、非作動状態において後述する上可動体４０１の下顎部材４０３の下端側が遊技盤２０の開口３４の上縁前方を装飾するセンター飾り枠８０の上部飾り部８３の下端より下方に位置し、遊技者から僅かに目視可能である。
一方、上可動体ユニット４００の作動状態においては、上可動体４０１が下方に移動して、下顎部材４０３及び後述する回転リール４１０が、上部飾り部８３の下端より下方でかつ演出表示装置５０の表示画面５１の前方に位置し、下顎部材４０３及び回転リール４１０の全域を遊技者が目視可能となる。即ち、上可動体４０１の回転リール４１０は、上可動体ユニット４００の作動時のみに遊技者から目視可能である。
また、図３に示すように、センター飾り枠８０の上部飾り部８３は、後述する上可動体４０１の下顎部材４０３の下顎以外の顔部分を形成する飾り顔部８３Ａを有し、上可動体４０１が下方に移動した際に、飾り顔部８３Ａと下顎部材４０３とで人間の顔の形を呈する。
【００３５】
以下、図５，図６を参照して、上可動体ユニット４００について詳説する。図５に示すように、上可動体ユニット４００は、上可動体４０１と、当該上可動体４０１を上下方向に移動させる上可動体駆動装置４０２とを備える。なお、説明の便宜上、以下、上可動体４０１を第１の可動体と言う場合がある。
上可動体４０１は、人の下顎の形をした下顎部材４０３と、当該下顎部材４０３の上方において回転する回転リール装置４０４と、下顎部材４０３と回転リール装置４０４とを所定の位置関係に連結する連結板４０５とを備える。
【００３６】
下顎部材４０３は、例えば、下顎の前面を形成する前板部４０６と、前板部４０６の左右下方から後方に延長する左右下板部４０７とを備え、前板部４０６の裏面及び左右下板部４０７の裏面で囲まれた凹部空間を備えた後部開放のお面のような立体形状に形成される。光非透過性材料により形成された前板部４０６には、左右に炎の形をした左右対称な貫通孔が形成され、この貫通孔に光透過性材料により形成された炎形状の光透過部材４０８が嵌め込まれている。そして、前板部４０６の裏側の凹部空間に図外の光源が設置され、当該光源からの光が光透過部材４０８を透過して前板部４０６の前方に透過するように構成されている。なお、当該光源は、可動体制御手段２００Ｂによって制御される。下顎部材４０３の前板部４０６の上部は、下唇形状に形成され、この下唇形状の上部には光透過性材料により形成された歯部４０９が設けられる。
【００３７】
回転リール装置４０４は、回転リール４１０と、回転支持部４１１と、回転リール駆動装置４１２とを備える。回転リール４１０は、左右方向に延在する回転中心軸を中心として回転可能な中空又は中実の円柱により形成される。回転リール４１０の円周面には、例えば、当該円周面を周方向に沿って複数領域に区分けして形成された複数の演出表示領域
４１７Ａ〜４１７Ｃが設けられる。例えば、演出表示領域４１７Ａには、「ＦＩＧＨＴ」というメッセージが表示され、演出表示領域４１７Ｂには「燃える！」というメッセージが表示され、演出表示領域４１７Ｃには「非常識」というメッセージが表示されている。
また、これらのメッセージが表示された演出表示領域４１７Ａ〜４１７Ｃは、回転リール４１０の円周上において例えば、１２０°の間隔を持って設けられており、演出表示領域４１７Ａ〜４１７Ｃいずれかの面が遊技者に対して正対して停止することにより、遊技者は演出表示領域４１７Ａ〜４１７Ｃに表示されたメッセージを読み取ることができる。
【００３８】
回転支持部４１１は、回転リール４１０の円柱の両端面より突出する図外の回転中心軸を回転可能に支持する図外の軸受部を備えた筐体により形成される。回転リール駆動装置４１２は、一方の回転支持部４１１の筐体の上部に設けられた取付板４１３に固定された駆動源としてのステップモータ等のモーター４１４と、モーター４１４の回転力を回転リール４１０の回転中心軸に伝達する歯車群等により構成された伝達機構４１５とを備える。
そして、モータ４１４が後述の可動体制御手段２００Ｂによって駆動制御され、モータ４１４の回転力が伝達機構４１５を介して回転リール４１０に伝達されることにより、回転リール４１０が一方向に回転可能とされる。
【００３９】
上可動体駆動装置４０２は、前側ベース板４２０と、後側ベース板４２１と、前側ベース板４２０の裏面に演出表示装置５０の表示画面５１と平行に取付られて上下方向に延長するレール４２２と、レール４２２上を移動するように設けられたスライダー４２３と、上可動体４０１を上下に移動させるための駆動力を発生する可動体駆動源としてのステップモータ等のモーター４２４と、モーターの回転力を伝達するために、例えば後側ベース板４２１の前面に回転可能に設けられた伝達歯車群により構成された伝達機構４２５と、最終歯車４２９に伝達された回転力を、上可動体４０１を上下動させる直動力に変換して上可動体４０１に伝達するリンク機構４２６とを備える。
【００４０】
スライダー４２３は、断面コの字状に延在するレール４２２の延長方向に沿って上下方向に移動可能であり、レール４２２から脱落不能に設けられる。伝達機構４２５は、例えば、モーター４２４の出力軸に回転可能に取付けられた出力歯車４２７と、後側ベース板４２１上で回転自在に軸支された中間歯車４２８及び最終歯車４２９により構成される。
【００４１】
リンク機構４２６は、左右方向に長尺な板状のリンク４３０と、最終歯車４２９の前面から前方に突出する歯車側伝達軸４３１と、回転支持部４１１の裏側に位置する連結板４０５の裏面より後方に突出する上可動体側伝達軸４３２と、後側ベース板４２１の前面より前方に突出するリンク回転中心軸４３３とから構成される。
リンク４３０の長手方向の一端にはリンク回転中心軸４３３が貫通する回転中心孔４３５が形成される。一方、リンク４３０の長手方向の他端側には、上可動体側伝達軸４３２が貫通する他端側長孔４３６が形成される。また、リンク４３０の長手方向の中央側には歯車側伝達軸４３１が貫通する中央側長孔４３７が形成される。
【００４２】
連結板４０５は、下顎部材４０３の裏面と対向して下顎部材４０３の裏面と連結される図外の下顎部材連結板部と、当該下顎部材連結板部の上端より後方に延長して回転リール４１０の下側に位置される図外の下側水平面板部と、当該下側水平面板部の後端より上方に延長して回転リール４１０の後側に位置されて回転支持部４１１の裏面と連結される図外の回転支持部連結板部と、当該回転支持部連結板部より前方に延長して回転リール４１０の上側に位置される上板部４４０と、上板部４４０の前端より垂直に立ち上がってスライダー４２３と連結されるスライダー連結板４４１とを備える。
【００４３】
回転リール装置４０４の回転リール４１０が下顎部材４０３の歯部４０９の上に横たわるように配置された状態において、連結板４０５の下顎部材連結板部と下顎部材４０３の裏面とが連結され、連結板４０５の回転支持部連結板部と回転リール装置４０４の回転支持部４１１の裏面とが連結され、かつ、スライダー連結板４４１とスライダー４２３とが連結され、レール４２２上を移動可能なスライダー４２３と上可動体４０１とが連結されているので、上可動体４０１がレール４２２に沿って上下方向に移動可能に構成される。
【００４４】
そして、モーター４２４及び伝達機構４２５が取付けられた後側ベース板４２１が上可動体４０１の後方に位置され、リンク４３０のリンク回転中心軸４３３がリンク４３０の回転中心孔４３５を貫通し、上可動体側伝達軸４３２がリンク４３０の他端側長孔４３６を貫通し、歯車側伝達軸４３１がリンク４３０の中央側長孔４３７を貫通した状態で、後側ベース板４２１と前側ベース板４２０とが連結部４５０を介して所定の位置関係に連結されたベース板４５１が構成され、当該ベース板４５１が例えば遊技盤２０の裏面に固定された状態で可動体制御手段２００Ｂによって駆動制御されるモーター４２４が駆動すると、モーター４２４の回転力が歯車側伝達軸４３１、リンク４３０、上可動体側伝達軸４３２に伝達されて上可動体４０１がレール４２２に沿って演出表示装置５０の表示画面５１と平行に上下方向に移動可能な上可動体ユニット４００が構成されることになる。
【００４５】
図６（ａ）に示すように上可動体４０１が上方に引き上げられている非作動状態から、可動体制御手段２００Ｂの駆動制御によって、モーター４２４が一方向に回転した場合、最終歯車４２９が右回転して歯車側伝達軸４３１が中央側長孔４３７の内壁を押し下げながら中央側長孔４３７内を移動し、リンク４３０がリンク回転中心軸４３３を回転中心として回転するとともに、上可動体側伝達軸４３２がリンク４３０の他端側長孔４３６の内壁を押し下げながら他端側長孔４３６内を移動するので、上可動体４０１が下方に移動する。（図６（ｂ）参照）。また、上可動体４０１が下方に移動した状態からモーター４２４が他方方向に回転した場合、図６（ｂ）に示す状態から図６（ａ）に示す非作動状態に復帰する
【００４６】
次に、図７乃至図９を参照して、右前側可動体ユニット６００について説明する。右前側可動体ユニット６００は、右前側可動体６０１と右前側可動体駆動装置６０２とを備える。右前側可動体６０１は、例えば、人の横顔の下顎、下唇、下歯を有した下側可動体としての下側顔部分６０４と、人の横顔の下顎部分より上方に位置する上顎、上唇、上歯、頬、鼻、目、額部を有した上側可動体としての上側顔部分６０３とを備える。
【００４７】
図８に示すように、上側顔部分６０３は、例えば、頬部分に設けられた炎模様部分６０３ａと目部分６０３ｂと上歯部分６０３ｃとが光透過性材料により形成された光透過部に構成され、その他の部分は光非透過性材料により形成された光非透過部に構成されている。そして、上側顔部分６０３の裏側の凹部空間に図外の光源が設置され、当該光源からの光が炎模様部分６０３ａ等の光透過部を透過して上側顔部分６０３の前方に透過するように構成されている。
また、下側顔部分６０４も同様に、例えば、頬部分に設けられた炎模様部分６０４ａと下歯部分６０４ｂとが光透過性材料により形成された光透過部に構成され、その他の部分は光非透過性材料により形成された光非透過部に構成されている。そして、下側顔部分６０４の裏側の凹部空間に図外の光源が設置され、当該光源からの光が炎模様部分６０４ａ等の光透過部を透過して下側顔部分６０４の前方に透過するように構成されている。なお、上述の各光源は、可動体制御手段２００Ｂによって制御される。
【００４８】
右前側可動体駆動装置６０２は、ベース板６０５と、演出表示装置５０の表示画面５１に沿って平行に設けられたレール６０６と、レール６０６上を移動するスライダー６０７と、駆動源としてのステップモータ等のモーター６０８と、モーター６０８の出力軸に回転可能に取付けられた出力歯車により構成されたピニオン６０９と、ピニオン６０９と噛合うラック６１０と、リンク装置６１１とを備える。
【００４９】
ベース板６０５は、前側ベース板６１２と後側ベース板６１３とを備える。後側ベース板６１３は、垂直方向と直交する左右方向に延長する左右延長部６１９を有した上後側ベース板部６１４と、垂直方向と直交する左右方向に延長する下後側ベース板部６１５と、上下方向に延長して上後側ベース板部６１４と下後側ベース板部６１５とを繋ぐ中央後側ベース板部６１６とを備える。
前側ベース板６１２が上後側ベース板部６１４の前側に位置され、前側ベース板６１２と上後側ベース板部６１４とが前後に所定間隔隔てて止めネジ等で互いに連結されている。
前側ベース板６１２の前面にはモーター６０８が固定状態に取付けられ、モーター６０８の出力軸が前側ベース板６１２に形成された孔を貫通して当該出力軸の先端側にピニオン６０９が取付けられる。
上後側ベース板部６１４における左右延長部６１９の前面に垂直方向と直交する左右方向に延長するレール６０６が取付けられる。スライダー６０７はレール６０６の延長方向に移動可能でレール６０６から脱落不能に設けられる。
【００５０】
リンク装置６１１は、右前側可動体６０１の裏面側から後方に突出するように設けられた複数の支軸と、右前側可動体６０１が可動可能なように各支軸が移動可能に取付けられた取付板６２０とを備える。取付板６２０は、前側取付板６２１と、前側取付板６２１の裏面に取付けられる後側取付板６２２とを備える。
【００５１】
前側取付板６２１の上端部６２３及びラック６１０がスライダー６０７に固定状態に取付けられてラック６１０がピニオン６０９と噛合うように設けられる。従って、モーター６０８が駆動してピニオン６０９が回転すると回転力がラック６１０に伝達されて、ラック６１０に連結されたスライダー６０７がレール６０６上を移動し、スライダー６０７に連結された取付板６２０もスライダー６０７の移動方向に移動する。取付板６２０は、右前側可動体６０１の初期位置状態において、後側ベース板６１３の中央後側ベース板部６１６の前側に位置され、ラック６２３の移動に伴って演出表示装置５０の表示画面５１と平行に左方向に移動する。
【００５２】
前側取付板６２１には複数の弧状長孔が形成されている。複数の弧状長孔は、前側取付板６２１の上部左側において上下方向に延長して中央部が左側に膨出するように湾曲形成された第１の弧状長孔６２５と、前側取付板６２１の上部左側における第１の弧状長孔６２５よりも右側位置に位置して、第１の弧状長孔６２５に沿って形成された第２の弧状長孔６２６と、前側取付板６２１の下部左側において左右方向に延長して上側に膨出するように湾曲形成された第３の弧状長孔６２７とを備える。
後側取付板６２２には複数の長孔が形成されている。複数の長孔は、後側取付板６２２の右側上部において上下方向に延長するよう形成された第１の長孔６３０と、後側取付板６２２の右側下部において上下方向に延長するよう形成された第２の長孔６３１と、後側取付板の左側における上下方向中央部において上下方向に延長するよう形成された第３の長孔６３２と、後側取付板６２２の右側上部における第１の長孔６３０よりも上側において左右方向に延長するように設けられた第４の長孔６３３と、後側取付板６２２の左側下部において下端部が上下方向に延長する長孔により形成され当該下端部よりも右側上部において上端部が上下方向に延長する長孔により形成されるとともに上端部の長孔の下端開口と下端部の長孔の上端開口とが左上側に膨出するように湾曲形成された弧状長孔により連通した構成の第５の長孔６３４とを備える。
【００５３】
前側取付板６２１の裏面における右上部側より後方に突出する第１の連結軸６４０が後側取付板６２２の前面側から第１の長孔６３０を貫通して当該第１の連結軸６４０が第１の長孔６３０内を移動可能なように構成され、また、第１の長孔６３０を通過させた第１の連結軸の後端面には抜け止め６４１が取付けられ、抜け止め６４１が後側取付板６２２の後面における第１の長孔６３０の周囲の面に係止することで第１の連結軸６４０が第１の長孔６３０から外れないように構成されている。
前側取付板６２１の裏面における右下部側より後方に突出する第２の連結軸６４２が後側取付板６２２の前面側から第２の長孔６３１を貫通して当該第２の連結軸６４２が第２の長孔６３１内を移動可能なように構成され、また、第２の長孔６３１を通過させた第２の連結軸６４２の後端面には抜け止め６４３が取付けられ、抜け止め６４３が後側取付板６２２の後面における第２の長孔６３１の周囲の面に係止することで第２の連結軸６４２が第２の長孔６３１から外れないように構成されている。
前側取付板６２１の裏面における左側上下方向の中央部より後方に突出する第３の連結軸６４４が後側取付板６２２の前面側から第３の長孔６３２を貫通して当該第３の連結軸６４４が第３の長孔６３２内を移動可能なように構成され、また、第３の長孔６３２を通過させた第３の連結軸６４４の後端面には抜け止め６４５が取付けられ、抜け止め６４５が後側取付板６２２の後面における第３の長孔６３２の周囲の面に係止することで第３の連結軸６４４が第３の長孔６３２から外れないように構成されている。
【００５４】
上側顔部分６０３における額部分の裏側より後方に突出する上下２つの左側支軸６５０；６５１が前側取付板６２１の前面側から第１の弧状長孔６２５を貫通して当該左側支軸６５０；６５１が第１の弧状長孔６２５内を移動可能なように構成され、また、第１の弧状長孔６２５を通過させた各左側支軸６５０；６５１の後端面には上記と同様に図外の抜け止めが取付けられ、当該抜け止めが前側取付板６２１の後面における第１の弧状長孔６２５の周囲の面に係止することで左側支軸６５０；６５１が第１の弧状長孔６２５から外れないように構成されている。
上側顔部分６０３におけるこめかみ部分の裏側より後方に突出する中央側支軸６５２が前側取付板６２１の前面側から第２の弧状長孔６２６を貫通して当該中央側支軸６５２が第２の弧状長孔６２６内を移動可能なように構成され、上述と同様の抜け止め構成によって中央側支軸６５２が第２の弧状長孔６２６から外れないように構成されている。
上側顔部分６０３の後頭部の裏側より後方に突出する右上側支軸６５３の後端部が後側取付板６２２の前面側から第４の長孔６３３内に挿入されて右上側支軸６５３の後端部が第４の長孔６３３内を移動可能なように構成されている。
さらに上側顔部分６０３の後頭部の裏側から後頭部よりも右上側に延長する延長板６５５の上端部の裏面から後方に突出するガイド支軸６５６を備え、ガイド支軸６５６の後端側の周面がガイド壁６５７に沿って上下斜め方向に移動可能なように構成される。ガイド壁６５７は、後側ベース板６１３における中央後側ベース板部６１６の上部に形成された下側から左上方向に傾斜する傾斜面により形成される。
【００５５】
下側顔部分６０４は、顎下よりも下方に延長する延長板６６０の下端部の裏面から後方に突出する回転中心支軸６６１を備え、回転中心支軸６６１の後端側が前側取付板６２１の下端側に設けられた固定部６６２に回転可能に連結されており、下側顔部分６０４は当該回転中心支軸６６１を回転中心として回転可能に構成される。
また、下側顔部分６０４の中央部の裏側より後方に突出する中央側支軸６６３の後端側が前側取付板６６２の前面側から第３の弧状長孔６２７を貫通するとともに後側取付板６２２の第５の長孔６３４を貫通して当該中央側支軸６６３が第３の弧状長孔６２７内及び第５の長孔６３４内を移動可能なように構成され、また、第５の長孔６３４を通過させた中央側支軸６６３の後端面には上記と同様の抜け止めが取付けられ、中央側支軸６６３が第３の弧状長孔６２７及び第５の長孔６３４から外れないように構成されている。
【００５６】
図８；９を参照し、右前側可動体ユニット６００の動作について説明する。
図８（ａ）；図９（ａ）に示すように、ラック６１０が最も右側に位置して右前側可動体６０１により形成された顔が歯を食いしばった表情に形成される初期位置（非作動）状態においては、上側顔部分６０３から設けられたガイド支軸６５６がガイド壁６５７から右側に離れた所に位置し、下左側支軸６５１が第１の弧状長孔６２５の下端縁に位置し、中央側支軸６５２が第２の弧状長孔６２６の下端縁に位置し、右上側支軸６５３が第４の長孔６３３の左端縁に位置し、下側顔部分６０４から設けられた中央側支軸６６３が第３の弧状長孔６２７及び第５の長孔６３４の上端縁に位置する。
【００５７】
そして、可動体制御手段２００Ｂの駆動制御によってモーター６０８が一方向に回転駆動し、ラック６１０が左側に移動すると、ラック６１０と連結された前側取付板６２１に付けられている右前側可動体６０１及び後側取付板６２２がラック６１０の移動に伴って左側に移動し、ガイド支軸６５６がガイド壁６５７に接触した後（図８（ｂ）；図９（ｂ）以降）は、ラック６１０が左側に移動するが、ガイド支軸６５６がガイド壁６５７に接触しているので、上側顔部分６０３の左方向への移動が制限され、ガイド支軸６５６がガイド壁６５７に沿って左上に移動するのに伴って、２つの左側支軸６５０；６５１が第１の弧状長孔６２５内を上方に移動し、中央側支軸６５２が第２の弧状長孔６２６内を上方に移動する。これに伴って、右上側支軸６５３が第４の長孔６３３内を右側に移動するとともに後側取付板６２２を上方に引き上げるので、各長孔６３０；６３１；６３２が連結軸６４０；６４２；６４４をガイドとして上方に移動し、また、第５の長孔６３４が中央側支軸６６３をガイドとして上方に移動するとともに、下側顔部分６０４が回転中心支軸６６１を介して回転可能なため、中央側支軸６６３が第３の弧状長孔６２７及び第５の長孔６３４の上端縁から下端縁まで移動する。以上により、上側顔部分６０３がガイド支軸６５６を回転中心として右回転するように移動し、下側顔部分６０４が回転中心軸６６１を回転中心として左回転するように移動することによって、右前側可動体６０１により形成された顔が口を大きく開けた表情の演出作動状態となる（図８（ｃ）；図９（ｃ）参照）。
当該右前側可動体６０１は、非作動（初期位置）状態においては、演出表示装置５０の表示画面５１の前方の右側に位置されて遊技者から目視可能な状態となり、作動状態においては、演出表示装置５０の表示画面５１の前方の右寄り中央側に位置されて遊技者から目視可能な状態となる。
【００５８】
図８（ｃ）に示すように、中央後側ベース板部６１６には、光透過性材料により形成された光透過飾部６１６ａと光非透過性材料により形成された光非透過飾部６１６ｂとで構成される。また、前側取付板６２１は、光透過性材料により形成された光透過飾部６２１ａと光非透過性材料により形成された光非透過飾部６２１ｂとで構成される。
そして、右前側可動体６０１が、図８（ａ）に示す非作動状態から図８（ｃ）に示す作動状態に移行する過程において、前側取付板６２１の光透過飾部６２１ａと中央後側ベース板部６１６の光透過飾部６１６ａとが互いに関連性を持った飾部に形成されており、かつ、前側取付板６２１の光非透過飾部６２１ｂと中央後側ベース板部６１６の光非透過飾部６１６ｂとが互いに関連性を持った飾部に形成されている。これら関連性を持った飾部としては、例えば、図８（ｃ）に示す作動状態における右前側可動体６０１の開いた口の中央位置を中心として右方向に放射状に延長する炎形状飾りである。
中央後側ベース板部６１６の光透過飾部６１６ａ、及び、前側取付板６２１の光透過飾部６２１ａの裏側の凹部空間には、可動体制御手段２００Ｂによって制御される図外の光源が設置され、当該光源からの光が、光透過飾部６１６ａを透過して中央後側ベース板部６１６の前方に透過するように構成され、また、光透過飾部６２１ａを透過して前側取付板６２１の前方に透過するように構成される。
【００５９】
従って、右前側可動体ユニット６００によれば、可動体制御手段２００Ｂにより制御される飾り右前側可動体駆動装置６０２によって、当該右前側可動体６０１が初期位置から左方に移動する横移動動作と、右前側可動体６０１が左方に移動した後に上側顔部分６０３と下側顔部分６０４とが互いに離れるように回動して右前側可動体６０１により形成された顔が口を大きく開ける口開け動作と、前側取付板６２１が左方に移動するに従って中央後側ベース板部６１６が遊技者から目視可能となって炎形状飾りが拡大していくような炎拡大動作とが協働した複合演出を行うことが可能となるとともに、可動体制御手段２００Ｂが、炎拡大動作と同時に、前側取付板６２１及び中央後側ベース板部６１６の裏側の光源を点灯させたり点滅させたりするランプ制御を行うことによって光を光透過飾部６１６ａ及び光透過飾部６２１ａを介して遊技者に見せる光演出を行うことが可能となり、当該複合演出と光演出とによって、遊技者の期待感を高める演出が可能となる。
なお、左前側可動体ユニット６００Ａの説明は、それぞれの可動体（右前側可動体６０１；左前側可動体６０１Ａ）の移動方向が異なるのみで右前側可動体ユニット６００と同様の構成であるため省略する。また、説明の便宜上、以下、表示画面５１の左右方向に分かれて配設された一対の右前側可動体６０１；左前側可動体６０１Ａを第２の可動体と言う場合がある。
【００６０】
また、図示しないが、下後側ベース板部６１５の前面には、取付板６２０の下端部６２０ｅのガイド路を形成するカバーが取付けられており、下端部６２０ｅがガイド路内に挿入されて左右方向に移動可能でかつ前後方向に移動不能にガイドされる。そして、飾り枠６９０（図２参照）が設けられる場合には、当該ガイド路を形成するカバー及び前側ベース板６１２から延長するように設けられた図外の飾りベース板の前面に当該飾り枠６９０が設けられる。
【００６１】
次に、右後側可動体ユニット７００について説明する。右後側可動体ユニット７００は、後述するベース板７０６が右前側可動体ユニット６００のベース板６０５に固定されたり、ベース板７０６が可動体ユニット設置空間形成用筐体３１に固定されることによって、右前側可動体ユニット６００の後方に配設され、非作動状態において遊技者から視認することは不可能とされる。一方で、作動状態においては後述する右後側可動体７０１の全貌が遊技者側から視認可能とされる。
【００６２】
図１０に示すように、右後側可動体ユニット７００は、右後側可動体７０１と右後側可動体駆動装置７０２とを備える。右後側可動体７０１は、例えば炎の外形を模した可動板である。右後側可動体７０１は光透過性を有した材料により形成され、前面に例えば「魂」という文字を象った光透過部７０３が形成される。右後側可動体７０１の裏面には、可動体制御手段２００Ｂにより制御される図外の光源が設けられており、光源からの光が光透過部７０３を通過することで「魂」という文字が光って表示される。
【００６３】
右後側可動体駆動装置７０２は、駆動源としてのステップモーター等のモーター７０４と、伝達機構７０５と、ベース板７０６と、リンク装置７０７とを備える。
ベース板７０６は、前側ベース板７１０と後側ベース板７１１とを備える。後側ベース板７１１が前側ベース板７１０の後側に配置され、後側ベース板７１１と前側ベース板７１０とが前後に所定間隔隔てて互いに平行に対向するように止めネジ等で互いに連結されている。前側ベース板７１０の前面にはモーター７０４が固定状態で取り付けられ、モーター７０４の出力軸が前側ベース板７１０に形成された孔を貫通し、当該出力軸の先端側に出力歯車７１５が取付けられる。
【００６４】
伝達機構７０５は、例えば、モーター７１５の出力軸に回転可能に取付けられた出力歯車７１５と、当該出力歯車７１５と噛合う最終歯車７１６により構成される。最終歯車７１６の回転中心軸７１７の一端部が前側ベース板７１０に固定され、回転中心軸７１７の他端部が最終歯車７１６の回転中心孔７１８に挿着されて最終歯車７１６が回転中心軸７１７を回転中心として回転可能に設けられている。
【００６５】
リンク装置７０７は、左リンク７２０と、右リンク７２１と、最終歯車７１６の円板の裏面の外周側より後方に突出するように設けられた伝達軸７２２とを備える。左リンク７２０は、上方の一端部に開設された回転中心孔７６１を貫通する回転中心軸７２４がベース板７０６の固定孔７５０；７５１に固定されることにより回転可能に取付けられている。
また、左リンク７２０の他端には、右後側可動体７０１の裏面に突設された回転中心軸７２６により、右後側可動体７０１が回転可能に取付けられている。
【００６６】
右リンク７２１は、上方の一端部に開設された回転中心孔７６２を貫通する回転中心軸７２５がベース板７０６の固定孔７８０；７８１に固定されることにより回転可能に取り付けられている。
また、右リンク７２１の他端には、右後側可動体７０１の裏面に突設された回転中心軸７２７により右後側可動体７０１が回転可能に取付けられている。
【００６７】
左リンク７２０は、ベース板７０６に固定された回転中心軸７２４より延長する一端部７３１と、右後側可動体７０１の裏面に固定された回転中心軸７２６より延長する他端部７３２と、一端部７３１と他端部７３２とを繋ぐ中間部７３３とを備えた構成である。
右リンク７２１は、左リンク７２０の一端部７３１と平行に配置された一端部７３５と、左リンク７２０の他端部７３２と平行に配置された他端部７３６と、一端部７３５と他端部７３６とを繋ぎ、左リンク７２０の中間部７３３と平行に配置された中間部７３７とを備えた構成である。
【００６８】
右リンク７２１の一端部７３５の内側には一端部７３６の延長方向に延長する長孔７４０が開設され、当該長孔７４０内に伝達歯車７１６に設けられた伝達軸７２２が挿入されている。右リンク７２１の一端部７３５と中間部７３７との境界部分に回転中心孔７６２が形成されている。
【００６９】
従って、図１１（ａ）のように、左リンク７２０の他端部７３２、右リンク７２１の他端部７３６が上下垂直方向に延長する初期位置状態（非作動状態）から、可動体制御手段２００Ｂによって駆動制御されるモーター７０４が一方向に駆動すると、伝達歯車７１６が左回転し、伝達軸７２２が円弧上を移動して上方に移動するのに伴って伝達軸７２２が右リンク７２１の長孔７４０の内壁を押圧することにより、右リンク７２１の一端部７３５が回転中心軸７２５を回転中心として上方に移動するので、右リンク７２１が回転中心軸７２５を回転中心として右回りに回転するとともに、右リンク７２１の他端が回転中心軸７２７を中心として回転し、また、左リンク７２０の他端も回転中軸７２６を中心として回転するのに伴なって、左リンク７２０が回転中心軸７２４を回転中心として右回りに回転する。よって、左リンク７２０の他端及び右リンク７２１の他端が回転中心軸７２５；７２７を回転中心として右回りに回転するとともに、右後側可動体７０１は回転しないそのままの状態で左方向に移動する（図１１（ｂ）参照）。
なお、左リンク７２０及び右リンク７２１が右回りに最大限回転した状態においては、各リンクの中間部７３３；７３７が垂直に延長する状態となり、この状態において、右後側可動体７０１は表示画面５１の前方に位置し、遊技者から視認可能な状態となる。
また、ベース板７０６は、初期位置において右リンク７２１の中間部７３７と接触して右リンク７２１が初期位置を越えて左回りに回転することを規制する図外の規制部を備えるとともに、作動状態において右リンク７２１の一端部７３５と接触して右リンク７２１が作動状態の位置を越えて右回りに回転することを規制する図外の規制部を備える。
【００７０】
また、作動状態における左リンク７２０及び左リンク７２１は、共にその前方が作動状態にある前述の右前可動体６０１によって覆われるため、遊技者側から左リンク７２０及び左リンク７２１が視認されることはなく、左リンク７２０及び左リンク７２１の他端部側に設けられた右後側可動体７０１のみが表示画面５１の前方において視認されることとなる。
【００７１】
なお、左後側可動体ユニット７００Ａの説明は、それぞれの可動体（右後側可動体７０１；左後側可動体７０１Ａ）の移動方向が異なるのみで右後側可動体ユニット７００と同様の構成であるため省略する。
一方で、図１２に示すように左後側可動体ユニット７００Ａの左後側可動体７０１Ａには、「闘」の文字を象った光透過部７０３が形成されており、両可動体が同期して表示画面５１の中央側に移動することにより、遊技者は「闘魂」とのメッセージを読み取ることが可能となる。なお、これら右後側可動体ユニット７００及び左後側可動体ユニット７００Ａの動作を含む具体的な演出態様については後述する。また、説明の便宜上、表示画面５１の左右方向に分かれて配設された一対の右後側可動体７０１；左後側可動体７０１Ａ
を第３の可動体という場合がある。
【００７２】
また、図示しないが上述した各駆動装置のリンクあるいはラックには、各可動体の初期状態（非作動状態）位置検出用の被検出体が設けられ、各ベース板には、各被検出体を検出して可動体制御手段２００Ｂに対して検出信号を出力するセンサが設けられているので、可動体制御手段２００Ｂは、各可動体の初期状態を正確に把握でき、各可動体の正確な位置制御を行えるようになっている。
【００７３】
以下、上記複数の可動体を備えたパチンコ機１における遊技の流れを概説する。
図４に示すように、主制御装置１００は、特図（特別図柄）当否抽選手段１１０、特別図柄種類決定手段１２０、変動時間決定手段１３０、図柄変動表示制御手段１４０、及び遊技状態制御手段１５０を主たる構成として備える。
【００７４】
特図当否抽選手段１１０は、第１始動入賞口３０Ａ又は第２始動入賞口３０Ｂへの遊技球の入賞を契機として出力される球検出信号の入力に基づいて、ハードウェアカウンタから取得される例えば０〜６５５３５までの範囲の特図抽選用乱数と、当該乱数ごとに抽選結果（「当り」又は「外れ」）が規定された特図抽選用テーブルを参照し、「当り」又は「外れ」いずれかの抽選結果を抽出する。
【００７５】
特別図柄種類決定手段１２０は、前述の抽選結果が「当り」であることを条件として、特別図柄の種類を決定する。具体的には、特別図柄種類決定手段１２０は、第１始動入賞口３０Ａ又は第２始動入賞口３０Ｂへの遊技球の入賞を契機として出力される球検出信号の入力に基づいて、ハードウェアカウンタから取得される例えば０〜９９までの範囲の特図種類決定用乱数と、当該乱数ごとに特別図柄の種類が規定された特図種類決定用テーブルを参照しいずれかの特別図柄種類を抽出する。
ここで、特別図柄種類には、例えば特別図柄Ａ〜特別図柄Ｄまでの４種類が存在し、これら特別図柄種類の相違は、後述する遊技状態制御手段１５０によって参照される。なお、前述の抽選結果が「外れ」である場合には、本抽選処理は実行されない。
【００７６】
変動時間決定手段１３０は、前述の特図抽選が実行されたことに応じて、特別図柄及び演出図柄Ｓが変動を開始してから停止するまでの変動時間（演出時間）を決定する。
具体的には、変動時間決定手段１３０は、第１始動入賞口３０Ａ又は第２始動入賞口３０Ｂへの遊技球の入賞を契機として出力される球検出信号の入力に基づいて、ソフトウェアカウンタから取得される例えば０〜９９までの範囲の変動時間決定用乱数と、当該乱数ごとに変動時間が規定された変動時間決定用テーブルを参照し、いずれかの変動時間を抽出する。
ここで、変動時間決定用テーブルは、現在の遊技状態、及び、前述の特図抽選の結果に応じて細分化されており、各テーブルには、例えば、２秒，５秒，１３秒，３５秒，６０秒，９０秒のいずれかの変動時間が互いに異なる選択率により規定されている。
【００７７】
図柄変動表示制御手段１４０は、特図抽選の結果、特別図柄抽選の結果が「当り」である場合の特別図柄種類、及び変動時間に基づいて第１特別図柄表示装置４０Ａ又は第２特別図柄表示装置４０Ｂを変動表示させるとともに、演出制御装置２００側に図柄変動コマンドを送信し、演出表示装置５０の表示画面５１上に表示される演出図柄Ｓの変動を開始させる。
【００７８】
具体的には、図柄変動表示制御手段１４０は、第１特別図柄表示装置４０Ａ又は第２特別図柄表示装置４０Ｂに対して変動開始信号を出力することにより特別図柄の変動を開始させ、変動時間が経過したことに基づいて変動停止信号を出力する。また、特別図柄の停止態様は、前述の特図抽選の結果に基づいて「○」又は「×」のいずれかに決定される。
なお、特図抽選用乱数取得の契機が第１始動入賞口３０Ａである場合には、第１特別図柄表示装置４０Ａを制御対象とし、特図抽選用乱数取得の契機が第２始動入賞口３０Ｂである場合には、第２特別図柄表示装置４０Ｂを制御対象とする。
【００７９】
さらに、図柄変動表示制御手段１４０は、演出制御装置２００に対して図柄変動コマンドを送信する。当該図柄変動コマンドには、特図抽選の結果、特別図柄種類、及び変動時間に係る情報が含まれており、演出制御装置２００側では、これらの情報に基づいて演出図柄Ｓの変動時間や、変動表示中の演出パターン、或いは、複数の可動ユニット４００；５００；６００；６００Ａの動作パターンを決定する。
【００８０】
遊技状態制御手段１５０は、特図抽選の結果が「当り」である場合の特別図柄種類に応じて、当該特図抽選の結果が「当り」であることを契機として実行される特別遊技後の遊技状態を変更する。前述のとおり、特図抽選の結果が「当り」であり、特別図柄及び演出図柄Ｓが「当り」であることを示す態様で停止した後には、図外の特別遊技制御手段によって第１大入賞口３５Ａ又は第２大入賞口３５Ｂが開放状態とされる特別遊技（所謂大当り遊技）が実行される。そして特別遊技終了後の遊技状態は、特別図柄種類に応じて変更され、遊技者にとって有利な遊技状態又は不利な遊技状態が醸成される。
【００８１】
ここで、遊技状態には、「特図低確率」と、当該特図低確率の状態よりも特図抽選の結果が「当り」となる確率が例えば１０倍高く設定された「特図高確率」と、「普図低確率」と、当該普図高確率の場合よりも電動チューリップが開放状態となる頻度及び間隔、さらには特別図柄及び演出図柄Ｓの変動時間が大幅に短縮される「普図高確率」の４つの状態が存在し、これらの状態が組み合わされることにより１つの遊技状態が醸成される。
例えば、特別図柄種類が特別図柄Ａである場合の特別遊技後の遊技状態は、「特図高確率」かつ「普図高確率」とされる。また、特別図柄種類が特別図柄Ｂである場合の遊技状態は、「特図高確率」かつ「普図低確率」の状態とされる。また、特別図柄種類が特別図柄Ｃである場合の遊技状態は、「特図低確率」かつ「普図高確率」の状態とされる。また、特別図柄種類が特別図柄Ｄである場合の遊技状態は、「特図低確率」かつ「普図低確率」の状態とされる。
【００８２】
次に、主制御装置１００からの図柄変動コマンドに基づいて態様な演出を実行する演出制御装置２００について説明する。図４に示すように、演出制御装置２００は、主として演出表示装置５０を制御する演出表示制御手段２００Ａと、主として複数の可動ユニットを制御する可動体制御手段２００Ｂと、主としてスピーカ８から発せられる遊技中の楽曲や効果音等を制御する音声制御手段２００Ｃを備える。
可動体制御手段２００Ｂ及び音声制御手段２００Ｃは、演出表示制御手段２００Ａによって決定される演出図柄Ｓの多様な演出パターンに応じて可動体ユニットの動作や発光態様、遊技中の音声を制御することにより、演出図柄Ｓが変動を開始してから停止表示されるまでの間、その演出効果を高める。以下、各制御手段についてその機能を説明する。
【００８３】
演出表示制御手段２００Ａは、主制御装置１００から送信される図柄変動コマンドに含まれる情報を解析し、各情報に応じた演出図柄Ｓの変動パターンを決定する。
具体的には、演出表示制御手段２００Ａは、図柄変動コマンドの受信と同時に、ソフトウェアカウンタから、０〜９９までの変動パターン決定用乱数を取得し、変動パターン決定用テーブルを参照して、取得した変動パターン決定用乱数に対応する１つの変動パターンを抽出する。変動パターン決定用テーブルは、主制御装置１００側で決定された６種類の変動時間ごとに細分化されており、この細分化された変動パターン決定用テーブルは、さらに「当り用」又は「外れ用」に細分化され、さらに「当り用」の変動パターン決定用テーブルは、特別図柄種類ごとに細分化されている。
そして、演出表示制御手段２００Ａは、図柄変動コマンドに含まれる特図抽選の結果、特別図柄種類、及び変動時間に係る情報に基づいて、いずれかの変動パターン決定用テーブルを参照し、１つの変動パターンを決定する。
【００８４】
ここで、変動パターン決定用テーブルに規定される変動パターンには、大別して「非リーチ」，「リーチ」，「スーパーリーチ」等の演出図柄Ｓの変動態様に関連する情報が規定されている。「リーチ」とは、３つの演出図柄Ｓの内、２つの演出図柄Ｓが同一の数字またはキャラクターで先行停止した状態であり、変動表示中の演出図柄Ｓが先行停止した２つの演出図柄Ｓと同一の数字またはキャラクターで停止すれば所謂「大当り」となり得る状態である。一方、「非リーチ」とは上記以外の状態をいう。
また、「スーパーリーチ」とは、上記「リーチ」状態の後、演出図柄Ｓの変動が停止するまでの間に展開される「大当り」への期待感を高める演出である。
当該「スーパーリーチ」は、例えば１０種類程度に細分化されており、スーパーリーチの種別ごとに、演出表示装置５０上で展開される画像や動画の種類や表示態様、或いは、可動体ユニットの動作態様等の詳細が規定されている。
【００８５】
演出表示制御手段２００Ａは、上記抽出した変動パターンに基づいて、変動開始コマンドを生成するとともに、生成した変動開始コマンドを演出表示装置５０側に送信する。当該変動開始コマンドを受信した演出表示装置５０側では、演出図柄Ｓの変動表示を開始するとともに、変動パターンに対応する態様によって各種の演出を実行し、変動時間経過後に特図抽選の結果を示す態様により停止表示させる。
【００８６】
また、演出表示制御手段２００Ａは、上記抽出した変動パターンに含まれる可動体ユニットの動作態様に関する情報を含む内部コマンドを可動体制御装置２００Ｂ側に送信する。当該内部コマンドを受信した可動体制御手段２００Ｂは、内部コマンドに含まれる情報に基づいて複数の可動体ユニットのいずれか又は複数の可動体ユニットを同時に制御し、演出表示装置５０の表示画面５１上で展開される演出と協調した各可動体による演出を実行する。
【００８７】
また、演出表示制御手段２００Ａは、上記抽出した変動パターンの種別に係る情報を含む内部コマンドを音声制御手段２００Ｃ側に送信する。当該内部コマンドを受信した音声制御手段２００Ｃは、変動パターンの種別に係る情報に基づいて、演出ごとに異なる楽曲データ，効果音データ等の音声データをＲＯＭから抽出し、当該抽出した音声データに基づいてスピーカ８を制御して、演出表示装置５０上で展開される演出と協調した音声による演出を実行する。
【００８８】
次に、図１２を参照して、特定の変動パターン、具体的には演出表示装置５０、上可動体４０１、右前側可動体６０１、左前側可動体６０１Ａ、右後側可動体７０１及び左後側可動体７０１Ａが関連する変動パターンが選択された場合の動作について説明する。
【００８９】
図１２（ａ）は、３つの演出図柄Ｓのうち、２つの演出図柄Ｓが「リーチ」を形成し、「リーチ」の形成から所定時間経過後に、表示画面５１が突如暗転（ブラックアウト）し、ブラックアウトした表示画面５１の中央部に前述した操作部９の形状を模した画像（アイコン）ＳＴ１が表示された様子を示す。この状態において、各可動体ユニット４００；６００；６００Ａ；７００；７００Ａはいずれも非作動状態であり、各可動体４０１；６０１；６０１Ａ；７００；７０１Ａは初期位置で停止している。
具体的には、第１の可動体としての上可動体４０１は、その下顎部材４０３の下端側が上部飾り部８３の下端より下方に位置し、遊技者から僅かに視認可能であるとともに、下顎部材４０３の上方に位置する回転リール４１０は、上部飾り部８３の後方に隠れて視認不能である。
また、第２の可動体としての右前側可動体６０１、及び左前側可動体６０１Ａは、演出表示装置５０の表示画面５１の左右方向に分かれた状態であり、さらにその口が閉じた状態である。
また、第３の可動体としての右後側可動体７０１及び左後側可動体７０１Ａはそれぞれ、右前側可動体６０１及び左前側可動体６０１Ａの後方に隠れて視認不能である。そして、この状態から所定時間がさらに経過すると、図１２（ｂ）に示す状態に移行する。
【００９０】
図１２（ｂ）に示すようにアイコンＳＴ１の表示から所定時間経過後には、まず、右前側可動体６０１及び左前側可動体６０１Ａが、その口を大きく開けながら、暗転した表示画面５１の前方において中央側に移動する。そして、当該中央側への移動動作と同時又は移動動作後に、操作部９の形状を模したアイコンＳＴ１上に、人の指先を模した形状の画像が上下方向に揺動するように表示され、遊技者に対して操作部９のボタン９Ｂを押下すべきことが促される。
【００９１】
次に、図１２（ｃ）に示すように、遊技者によって操作部９のボタン９Ｂが押下されると、まず、それまで上部飾り部８３の後方に隠れて視認不能であった回転リール４１０を含む上可動体４０１の全貌がその降下動作に伴って表示画面５１の上部において視認可能となる。さらに、回転リール４１０は、その降下動作中において一方向に回転を継続し、例えば降下限度位置への到達と同時、或いは、その後に特定の演出表示領域４１７Ａ〜４１７Ｃの何れかが遊技者に対して正対した状態で停止する。本例においては、演出表示領域４１７Ｂが遊技者に対して正対して停止し、遊技者からは「燃える！」とのメッセージが読み取られる。
さらに、回転リール４１０の停止と同時又はその後には、それまで右前側可動体６０１及び左前側可動体６０１Ａの後方に隠れて視認不能であった右後側可動体７０１及び左後側可動体７０１Ａが同時又は僅かに左後側可動体７０１Ａが先行して表示画面５１の前方において中央側に移動する。
これにより、上側可動体４０１，右前側可動体６０１，左前側可動体６０１Ａ，右後側可動体７０１及び左後側可動体７０１Ａが表示画面５１の前方に移動した状態となり、表示画面５１の前方を遮るように出現する。
また、この状態において口を大きく開けた状態で停止した右前側可動体６０１，左前側可動体６０１Ａよりも表示画面５１の中央側で停止する右後側可動体７０１及び左後側可動体７０１Ａに形成された「闘」及び「魂」とのメッセージは、あたかも口を大きく開けた右前側可動体６０１，左前側可動体６０１Ａから発せられたメッセージであるかのような印象を与えることができる。
【００９２】
また、回転リール４１０によって表示された「燃える！」とのメッセージ、及び、表示画面５１の前方において表示された「闘魂」とのメッセージは、「燃える！闘魂」との１つのメッセージとなるように互いに関連しており、右後側可動体７０１に形成された「闘」との文字、及び左後側可動体７０１Ａに形成された「魂」との文字も「闘魂」との１つの熟語となるように互いに関連している。
また、上側可動体４０１，右前側可動体６０１，左前側可動体６０１Ａ，右後側可動体７０１及び左後側可動体７０１Ａが表示画面５１の前方に移動し、表示画面５１の前方を遮るように出現する上述の演出は、「リーチ」形成後「スーパーリーチ」発生前、或いは、「スーパーリーチ」中等のタイミングで実行され、当該演出を視認した遊技者は、期待度の高い（選択率の低い）「スーパーリーチ」に発展するかも知れないという期待感や、発展中の「スーパーリーチ」によって大当たり遊技を獲得できるかも知れないという期待感を得ることが可能となる。そして、当該演出後には、「スーパーリーチ」を経て全ての演出図柄Ｓが前述の特図抽選の結果を示す態様で停止表示されることとなる。
【００９３】
以上のとおり、本実施形態に係るパチンコ機１によれば、可動体ユニット４００の非作動時においてその全貌が視認不能となるように隠れた上可動体４０１の回転リール４１０が可動体ユニット４００の作動時において遊技者から初めて視認可能となるとともに、表示画面５１の中央側に移動した右前側可動体６０１及び左前側可動体６０１Ａから、それまで視認不能であった「闘」，「魂」との文字が付された右後側可動体７０１及び左後側可動体７０１Ａが、あたかも大きく開けた口から発せられたメッセージであるかのように突如として飛び出すように出現し、さらに当該「闘魂」とのメッセージが、回転リール４１０の停止によって遊技者に対して正対する演出表示領域４１７Ｂに付された「燃える！」とのメッセージと相俟って全体として「燃える！闘魂」とのメッセージを看取させることが可能であるため、各可動体の動作によって変化に富んだインパクトのある演出を遊技者に見せることが可能となる。なお、ここで回転リール４１０及び後側可動体７０１に対して使用した視認不能とは通常、遊技者が遊技を行っている状態における姿勢での視認は困難であることを意味し、遊技盤の窓４Ａに顔を近づけてまで実行するような通常予定していない姿勢や行為対応では視認ができてもかまわない。
【符号の説明】
【００９４】
１  パチンコ機，２０  遊技盤，２９  遊技盤ユニット，３４  開口，
５０  演出表示装置，５１  表示画面，１００  主制御装置，２００  演出制御装置，
２００Ｂ  可動体制御手段，４００  上可動体ユニット，４０１  上可動体，
４０２  上可動体可動体駆動装置，４１０  回転リール，
４１７Ａ〜４１７Ｃ  演出表示領域，６００  右前側可動体ユニット，
６００Ａ  左前側可動体ユニット，６０１  右前側可動体，６０１Ａ  左前側可動体，
６０２  右前側可動体駆動装置，７００  右前側可動体ユニット，
７００Ａ  左前側可動体ユニット，７０１  右後側可動体，７０１Ａ  左後側可動体。
【図１】
2014004052.tif 000003
【図２】
2014004052.tif 000004
【図３】
2014004052.tif 000005
【図４】
2014004052.tif 000006
【図５】
2014004052.tif 000007
【図６】
2014004052.tif 000008
【図７】
2014004052.tif 000009
【図８】
2014004052.tif 000010
【図９】
2014004052.tif 000011
【図１０】
2014004052.tif 000012
【図１１】
2014004052.tif 000013
【図１２】
2014004052.tif 000014